(57)【要約】【課題】  書籍、ＣＤ、ＬＤなどの板状の商品を、表紙側、表面側を正面（前方）に向けて陳列するのに使用され、陳列されている商品の傾き角度を任意にかつ簡単に修正、変更することが可能な商品陳列台を提供する。【解決手段】  左右方向に延びる下端辺と上端辺との間に所定の間隔を有し、上端側が背面側方向に向かって傾斜するように下端側から上端側に向けて傾斜している背面支持板と、背面支持板の下端に形成されている溝部に挿入され、当該溝部に挿入されて水平方向に延びる状態で、背面支持板の下側を背面側方向及び正面側方向に向けてスライド移動可能な底面支持板と、底面支持板の正面側に立設されている正面支持板とからなる商品陳列台。【選択図】  図２
2006000256.tif 000002
【特許請求の範囲】
【請求項１】
左右方向に延びる下端辺と上端辺との間に所定の間隔を有し、上端側が背面側方向に向かって傾斜するように下端側から上端側に向けて傾斜している背面支持板と、当該背面支持板の下端に形成されている溝部に挿入され、当該溝部に挿入されて水平方向に延びる状態で、当該背面支持板の下側を背面側方向及び正面側方向に向けてスライド移動可能な底面支持板と、当該底面支持板の正面側に立設されている正面支持板とからなる商品陳列台。
【発明の詳細な説明】
【技術分野】
【０００１】
この発明は、書籍や、ＣＤ（コンパクトディスク）、ＬＤ（レーザーディスク）などの板状の商品を、表紙側、表面側を正面（前方）に向けて陳列するのに適した商品陳列台に関する。
【背景技術】
【０００２】
書籍や、ＣＤ（コンパクトディスク）、ＬＤ（レーザーディスク）などの板状の商品を、表紙側、表面側を正面（前方）に向けて陳列するのに使用される商品陳列台に関しては、従来から種々の提案がされている。
【０００３】
例えば、特開２０００―３００４０６号公報には、起立状態の書籍等を支えるＬ字型構造の基本部に書籍等が前方に倒れないように保持する支持部が接合され、この一方、書籍等の背面は、背面保持部で支持されるようになっていて、前記の支持部と背面保持部との間に挿入された書籍等が、適度の圧力を受けて前記支持部と背面保持部との間に支持される書籍等の陳列用保持具が提案されている。
【特許文献１】特開２０００―３００４０６号公報
【発明の開示】
【発明が解決しようとする課題】
【０００４】
書籍や、ＣＤ（コンパクトディスク）、ＬＤ（レーザーディスク）などの板状の商品を、表紙側、表面側を正面（前方）に向けて陳列するのに使用される商品陳列台は、書店、等の店舗の様々な位置に配置される。
【０００５】
例えば、水平方向において消費者の視線とほぼ同じ高さになる床面（店舗フロアー）から１５０〜１６０ｃｍ程度の高さや、水平方向において消費者の腰の高さとほぼ同じ高さになる床面（店舗フロアー）から９０〜１１０ｃｍ程度の高さ、水平方向において消費者の膝とほぼ同じ高さになる床面（店舗フロアー）から４０〜６０ｃｍ程度の高さなど、様々な位置に商品陳列台は配置される。
【０００６】
このような種々の高さ位置に配備されるので、当該商品陳列台に陳列されている商品の表紙側、表面側が消費者に見えやすくなるように、商品陳列台が配備されている高さ位置、等々に応じて商品の傾き角度を変更できれば便利である。
【０００７】
また、商品陳列台に陳列されている商品が消費者によって購入され、順次抜き取られていった場合であっても、商品陳列台に陳列されている商品の傾き角度に変更が生じないように簡単に調整できれば便利である。
【０００８】
そこで、本発明は、書籍や、ＣＤ（コンパクトディスク）、ＬＤ（レーザーディスク）などの板状の商品を、表紙側、表面側を正面（前方）に向けて陳列するのに使用され、陳列されている商品の傾き角度を任意にかつ簡単に修正、変更することが可能な商品陳列台を提供することを目的としている。
【課題を解決するための手段】
【０００９】
前記課題を解決するため、本発明が提案する商品陳列台は、左右方向に延びる下端辺と上端辺との間に所定の間隔を有し、上端側が背面側方向に向かって傾斜するように下端側から上端側に向けて傾斜している背面支持板と、当該背面支持板の下端に形成されている溝部に挿入され、当該溝部に挿入されて水平方向に延びる状態で、当該背面支持板の下側を背面側方向及び正面側方向に向けてスライド移動可能な底面支持板と、当該底面支持板の正面側に立設されている正面支持板とからなるものである。
【発明の効果】
【００１０】
この発明の商品陳列台によれば、商品陳列台に陳列された商品の最も正面（前方）側に位置する商品の下端は、底面支持板の正面側において正面支持板が立設されている位置で支持され、商品陳列台に陳列された商品の最も背面（後方）側に位置する商品の上方側は、少なくとも、背面支持板の上端辺で支持される。
【００１１】
そこで、底面支持板の正面側において正面支持板が立設されている位置と、背面支持板の上端辺の位置との関係で、この発明の商品陳列台に陳列されている商品の傾き角度を規定することが可能になる。
【００１２】
この発明の商品陳列台においては、底面支持板は、背面支持板の下端に形成されている溝部に挿入されて水平方向に延びる状態で、背面支持板の下側を背面側方向及び正面側方向に向けてスライド移動可能になっているので、前述した底面支持板の正面側において正面支持板が立設されている位置と、背面支持板の上端辺の位置との関係は、底面支持板を、背面支持板の下端に形成されている溝部に挿入されて水平方向に延びている状態で、背面支持板の下側を背面側方向及び正面側方向に向けてスライド移動させることにより、任意に変更、調節可能である。
【００１３】
これによって、本発明によれば、書籍や、ＣＤ（コンパクトディスク）、ＬＤ（レーザーディスク）などの板状の商品を、表紙側、表面側を正面（前方）に向けて陳列するのに使用され、陳列されている商品の傾き角度を任意かつ簡単に修正、変更することが可能な商品陳列台を提供することができる。
【発明を実施するための最良の形態】
【００１４】
以下、添付図面を参照して本発明の好ましい実施形態を説明する。
【００１５】
本発明の商品陳列台１は、背面支持板２と、底面支持板３と、正面支持板４とを備えている。
【００１６】
背面支持板２は、左右方向（図５、図６中、左右方向）に延びる下端辺２ａと上端辺２ｂとの間に所定の間隔Ｗを有し（図１）、図４図示のように、上端側が背面側方向に向かって傾斜するように下端側から上端側に向けて傾斜しているものである。
【００１７】
図示の実施形態では、背面支持板２の形態として、その下端から、図４に示すように、背面側（図４中、右側）に向けて水平方向に延びるように折れ曲がり、この折れ曲がり部２ｃの途中から、背面支持板２の背面側に向けて、斜めに、立ち上がり部２ｄが延びている形態が採用されている。
【００１８】
しかし、左右方向（図５、図６中、左右方向）に延びる下端辺２ａと上端辺２ｂとの間に所定の間隔Ｗを有し（図１）、図４図示のように、上端側が背面側方向に向かって傾斜するように下端側から上端側に向けて傾斜して、その上で、以下に説明するように、背面支持板２の下側を、図４図示のように水平方向に延びる状態で、背面側方向（図４中、矢印５方向）及び正面側方向（図４中、矢印６方向）に向けて底面支持板３がスライド移動できるように、底面支持板３が挿入される溝部７ａ、７ｂがその下端に配備されている形態であれば、種々の形態を背面支持板２の形態として採用することができる。
【００１９】
背面支持板２の下端には、図１図示のように、溝部７ａ、７ｂが形成されている。
【００２０】
溝部７ａ、７ｂには、底面支持板３が挿入される。そして、底面支持板３は、溝部７ａ、７ｂに挿入されて、図２〜４図示のように、水平方向に延びる状態で、背面支持板２の下側を背面側方向（図２、図４中、矢印５方向）及び正面側方向（図２、図４中、矢印６方向）に向けてスライド移動可能になっている。
【００２１】
底面支持板３の正面側（図４中、左側）には、正面支持板４が立設されている。図示の実施形態では、底面支持板３の先端側（図４中、左側）を、鉛直方向上向きに、直角に折り曲げることにより、底面支持板３の先端側（図４中、左側）端部に正面支持板４が形成されているが、底面支持板３とは異なる板体を底面支持板３の正面側（図４中、左側）の上面（図４中、上側面）に取り付けて正面支持板４とすることもできる。
【００２２】
図１は、本願発明の商品陳列台１を構成する背面支持板２と、底面支持板３と、正面支持板４とを説明する斜視図である。図２は、本願発明の商品陳列台１の一例を表す斜視図であって、図１で説明されていた背面支持板２と、底面支持板３と、正面支持板４とが組み合わされて本願発明の商品陳列台１が形成された状態を表すものである。図３は、図２図示の本願発明の商品陳列台１において、底面支持板３が図２図示の状態から背面側方向（図２、図４中、矢印５方向）に向けてスライド移動された状態を説明する斜視図である。図４は、図２図示の本願発明の商品陳列台１の右側面図である。左側面図は、これと対称に表れる。図５は、図２図示の本願発明の商品陳列台１の正面図（図４中、左側方向から見た図）である。図６は、図２図示の本願発明の商品陳列台１の背面図（図４中、右側方向から見た図）である。図７は、図２図示の本願発明の商品陳列台１の平面図（図４中、上側方向から見た図）である。図８は、図２図示の本願発明の商品陳列台１の底面図（図４中、下側方向から見た図）である。図９（ａ）は、図７におけるＡ−Ａ線断面図、図９（ｂ）は、図７におけるＣ−Ｃ、Ｄ−Ｄ部のＢ−Ｂ線断面図である。
【００２３】
以下、添付図面を参照して本発明の商品陳列台１が使用される状態を説明する。
【００２４】
本発明の商品陳列台１には、図１０（ａ）〜図１１（ｂ）図示のように、書籍や、ＣＤ（コンパクトディスク）、ＬＤ（レーザーディスク）などの板状の商品が、表紙側、表面側を正面（前方）（図１０（ａ）〜図１１（ｂ）中、左側方向）に向けて陳列される。
【００２５】
この発明の商品陳列台１によれば、図１０（ａ）〜図１１（ｂ）図示のように、商品陳列台１に陳列された商品の最も正面（前方）側に位置する商品（図１０（ａ）、図１０（ｂ）であれば商品１０、図１１（ａ）、図１１（ｂ）であれば商品２０ａ）の下端が、底面支持板３の正面側において正面支持板４が立設されている位置で支持される。
【００２６】
一方、商品陳列台１に陳列された商品の最も背面（後方）側に位置する商品（図１０（ａ）、図１０（ｂ）であれば商品１０、図１１（ａ）であれば商品２０ｄ、図１１（ｂ）であれば商品２０ｊ）の上方側は、少なくとも、背面支持板２の上端辺２ｂで支持される。すなわち、図１０（ａ）、図１０（ｂ）図示の場合は、背面支持板２の傾斜角度と商品１０の傾斜角度とが相違しているので、商品１０は背面支持板２の全面において支持されているわけではないが、商品１０の上方側は、少なくとも、背面支持板２の上端辺２ｂで支持されている。図１１（ａ）、図１１（ｂ）図示の場合は、背面支持板２の傾斜角度と、商品陳列台１に陳列された商品の最も背面（後方）側に位置する商品（商品２０ｄ、商品２０ｊ）傾斜角度とは同一であるので、商品２０ｄ、商品２０ｊは背面支持板２の全面において支持され、商品２０ｄ、商品２０ｊ上方側は、少なくとも、背面支持板２の上端辺２ｂで支持されている。
【００２７】
そこで、本発明の商品陳列台１においては、底面支持板３を、背面側方向（図２、図４、図１０（ａ）、図１１（ｂ）中、矢印５方向）及び正面側方向（図２、図４、図１０（ｂ）、図１１（ａ）中、矢印６方向）に向けてスライド移動可能させることにより、底面支持板３の正面側において正面支持板４が立設されている位置と、背面支持板２の上端辺２ｂの位置との関係を調整し、この発明の商品陳列台１に陳列されている商品の傾き角度を調整することができる。
【００２８】
例えば、図１０（ａ）図示のような傾斜角度で商品１０を陳列していたのを、底面支持板３を、背面側方向（図１０（ａ）中、矢印５方向）にスライド移動させることによって、図１０（ｂ）図示のような傾斜角度で商品１０を陳列するように変更したり、あるいはその逆に、図１０（ｂ）図示のような傾斜角度で商品１０を陳列していたのを、底面支持板３を、正面側方向（図１０（ｂ）中、矢印６方向）に向けてスライド移動させることによって、図１０（ａ）図示のような傾斜角度で商品１０を陳列するように変更することを簡単に行うことができる。
【００２９】
また、図１１（ｂ）図示のように１０個の商品２０ａ〜２０ｊが陳列されていた状態から、消費者が購入することによって、商品が１個ずつ抜き取られて、図１１（ａ）図示のように、４個の商品２０ａ〜２０ｄのみが陳列されている状態になったときであっても、底面支持板３を、背面側方向（図１１（ｂ）中、矢印５方向）に向けて逐次スライド移動させることにより、図１１（ｂ）図示の状態と同じ傾斜角度にて、図１１（ａ）図示のように、商品を陳列することを簡単に行うことができる。
【００３０】
以上説明した本発明の商品陳列台１を構成する背面支持板２、底面支持板３、正面支持板４は、いずれも合成樹脂製品とすることができる。例えば、無色透明なアクリル樹脂製にすることによって、高級感、清潔感を備え、デザイン的にも優れたものにすることができる。
【００３１】
以上、本発明の好ましい実施形態を説明したが、本発明はかかる実施形態に限定されるものではない。
【００３２】
例えば、前述したように、背面支持板２の形態は、図示し、上述した形態に限られるものではない。
【００３３】
背面支持板２の下端に形成される溝部７ａ、７ｂも、この溝部に挿入された底面支持板３が、図２〜４図示のように、水平方向に延びる状態で、背面支持板２の下側を背面側方向（図２、図４中、矢印５方向）及び正面側方向（図２、図４中、矢印６方向）に向けてスライド移動可能になるものであれば、図示し、上述した形態に限られず、種々の形態を採用可能である。
【００３４】
底面支持板３も、背面支持板２の下端に形成される溝部に挿入され、図２〜４図示のように、水平方向に延びる状態で、背面支持板２の下側を背面側方向（図２、図４中、矢印５方向）及び正面側方向（図２、図４中、矢印６方向）に向けてスライド移動可能になるものであれば、図示し、上述した形態に限られず、種々の形態を採用可能である。例えば、図示したような板体だけでなく、背面側と正面側との間を延びる（すなわち、図４中、左右方向に延びる）棒状体であっても、本願発明における底面支持板３の概念に含まれるものである。
【００３５】
更に、底面支持板３の正面側（図４中、左側）に立設される正面支持板４も、商品陳列台１に陳列された商品の最も正面（前方）側に位置する商品（図１０（ａ）、図１０（ｂ）であれば商品１０、図１１（ａ）、図１１（ｂ）であれば商品２０ａ）の下端が、底面支持板３の正面側において正面支持板４が立設されている位置で支持されることを可能ならしめるものであれば、種々の形態が採用可能である。
【００３６】
例えば、正面支持板４は、図示し、上述したように、底面支持板３の正面側（図４中、左側）の端に立設される必要はなく、底面支持板３の正面側（図４中、左側）に立設されていれば十分であり、また、図１〜３等に図示のように、底面支持板３の左右方向全てに亘って延びる板体にする必要もない。底面支持板３の正面側（図４中、左側）において、一部分に立設されている突起部も本願発明における正面支持板４の概念に含まれるものである。
【図面の簡単な説明】
【００３７】
【図１】本願発明の商品陳列台を構成する背面支持板と、底面支持板と、正面支持板とを説明する斜視図。
【図２】本願発明の商品陳列台の一例を表す斜視図。
【図３】図２図示の本願発明の商品陳列台において、底面支持板が図２図示の状態から背面側方向に向けてスライド移動された状態を説明する斜視図。
【図４】図２図示の本願発明の商品陳列台の右側面図。
【図５】図２図示の本願発明の商品陳列台の正面図（図４中、左側方向から見た図）。
【図６】図２図示の本願発明の商品陳列台の背面図（図４中、右側方向から見た図）。
【図７】図２図示の本願発明の商品陳列台の平面図（図４中、上側方向から見た図）。
【図８】図２図示の本願発明の商品陳列台の底面図（図４中、下側方向から見た図）。
【図９】（ａ）は、図７におけるＡ−Ａ線断面図、（ｂ）は、図７におけるＣ−Ｃ、Ｄ−Ｄ部のＢ−Ｂ線断面図。
【図１０】（ａ）は、本願発明の商品陳列台に商品が陳列されている状態の右側面図、（ｂ）は、図１０（ａ）の状態から商品を陳列する傾斜角度が変更された場合の右側面図。
【図１１】（ａ）は、本願発明の商品陳列台に複数の商品が陳列されている状態の右側面図、（ｂ）は、図１１（ａ）の状態から陳列されている商品の数が増えた場合を表す右側面図。
【符号の説明】
【００３８】
１  商品陳列台
２  背面支持板
２ａ  背面支持板の下端辺
２ｂ  背面支持板の上端辺
２ｃ  背面支持板の折れ曲がり部
２ｄ  背面支持板の立ち上がり部
３  底面支持板
４  正面支持板
７ａ、７ｂ  溝部
１０  商品
２０ａ〜２０ｊ  商品
【図１】
2006000256.tif 000003
【図２】
2006000256.tif 000004
【図３】
2006000256.tif 000005
【図４】
2006000256.tif 000006
【図５】
2006000256.tif 000007
【図６】
2006000256.tif 000008
【図７】
2006000256.tif 000009
【図８】
2006000256.tif 000010
【図９】
2006000256.tif 000011
【図１０】
2006000256.tif 000012
【図１１】
2006000256.tif 000013